(57)【要約】【課題】ハンガー状態の陳列棚を、簡単にかつ低コストで形状を安定させる。【解決手段】上段トレー１０の両側壁１２および背壁１３を底壁１５より下方に延長して、ハンガー状態において、上下段トレー１０、２０の両側壁１２、２２および背壁１３、２３が重なり合うように形成した。重なり合う部分には、切れ込みにより区画されるロック片１７、２８を形成し、このロック片１７，２８をトレー１０，２０内側に向けて押し込み可能とした。ロック片１７、２８を押し込むと、下段トレー２０のロック片２８が没入して形成された凹み空間に、上段トレー１０の反転したロック片１７がはまり込むことでトレー１０，２０相互がロックされる。そのためハンガー形状が安定する。切り込みを設けただけでロック機構を構成したため、手間がかからず、製造、材料コストも低廉である。【選択図】図３
2008012106.tif 000002
【特許請求の範囲】
【請求項１】
底壁と、底壁から立ち上がる前壁、側壁、背壁とを有するトレーを複数段に連結し、これらのトレーが上下方向にほぼ垂直に並んだハンガー状態で陳列可能な陳列棚において、
上下方向に隣接する少なくとも一対のトレーの、上段トレーの両側壁および背壁を底壁より下方に延長して、上段トレーの両側壁および背壁と下段トレーの両側壁および背壁とが重なり合うように形成し、
外側に重なるトレーのこの重なり合う部分に、側壁から背壁にかけて延びる並列する切れ込みと、この切れ込み両端をつなぐ仮想線により区画される外側ロック片を形成し、このロック片をトレー内側に向けて押し込み可能とし、
内側に重なるトレーの前記外側ロック片に対応する位置に、側壁から背壁にかけて延びる並列する切れ込みと、この切れ込み両端をつなぐ仮想線により区画される内側ロック片を形成し、このロック片をトレー内側に向けて押し込み可能とするか、あるいは外側ロック片がはまり込む大きさの開口を形成したことを特徴とするロック機能つき陳列棚。
【請求項２】
底壁と、底壁から立ち上がる前壁、側壁、背壁とを有するトレーを複数段に連結し、これらのトレーが上下方向にほぼ垂直に並んだハンガー状態で陳列可能な陳列棚において、
上下方向に隣接する少なくとも一対のトレーの、上段トレーの両側壁および背壁の少なくとも一方を底壁より下方に延長して、上段トレーの両側壁および背壁と下段トレーの両側壁および背壁の少なくとも一方が重なり合うように形成し、
外側に重なるトレーのこの重なり合う部分の、側壁および背壁の少なくとも一方に、一方向に向けて屈曲または湾曲する切れ込みと、この切れ込み両端をつなぐ仮想線により区画される外側ロック片を形成し、このロック片をトレー内側に向けて押し込み可能とし、
内側に重なるトレーの前記外側ロック片に対応する位置に、一方向に向けて屈曲または湾曲する切れ込みと、この切れ込み両端をつなぐ仮想線により区画される内側ロック片を形成し、このロック片をトレー内側に向けて押し込み可能とするか、あるいは外側ロック片がはまり込む大きさの開口を形成したことを特徴とするロック機能つき陳列棚。
【請求項３】
上記上下方向に隣接するトレーを、それらの相対位置が変化可能に連結し、トレーが上下方向にほぼ垂直に並んだハンガー状態と、階段状に斜めに並んだカウンター状態とに切り替え可能な請求項１または２に記載の陳列棚。
【請求項４】
上記上下方向に隣接するトレー相互の連結は、一方トレーの背壁と一体に形成された板状連結片の先端を、他方トレー背壁に貼り付けることによりなされる請求項１から３のいずれかに記載のロック機能つき陳列棚。
【発明の詳細な説明】
【技術分野】
【０００１】
この発明は、店頭に吊り下げるなどしてトレーに収納した商品を陳列する陳列棚に関する。
【背景技術】
【０００２】
底壁とその周縁からほぼ垂直に立ち上がる前壁、側壁、背壁とからなるトレーを複数段に連結し、これらのトレーの相対位置を変化させることにより、トレーが上下方向にほぼ垂直に並んだハンガー状態と、階段状に斜めに並んだカウンター状態とに切り替え可能な陳列棚が従来から知られている。
【０００３】
このような切り替え可能な陳列棚は、ハンガー状態においては、紐を介してフックに吊り下げて陳列でき、カウンター状態においては、台上や卓上に設置でき、状況に応じて陳列状態を自由に変化させることができる。
このように、非常に便利であるため、切り替え可能な陳列棚は広く利用されており、これに関する多くの発明、考案がなされている。
【０００４】
たとえば、特許文献１には、上段トレーの両側壁及び背壁を底壁より下方へ延長して下段トレーの両側壁および背壁に重ね合わせ、下段トレーの両側壁にＬ字状のガイド用長孔を形成し、上段トレーの側壁の下部に固定されたピンやビスをこの長孔にスライド自在に挿し込んだ陳列棚が開示されている。
これは、下段トレーの長孔が上段トレーのピンやビスを案内することで、上下段のトレーが長孔に沿ってスライド移動して、ハンガー状態とカウンター状態に切り替え可能となっている。
【０００５】
しかしこの陳列棚の場合、カウンター状態での陳列時に、下段トレーの長孔が上段トレーの側壁から前方に突き出して目につきやすく、体裁が悪い。
また、ピンやビスを用い、長孔を形成するため構造が複雑となり、部品点数も多く、材料コストや製造コストが嵩む。
さらに、陳列棚の廃棄時には、プラスチック等のピンやビスと紙製の陳列棚本体とが材質が異なるため分別する必要があり手間がかかる。
【０００６】
また、特許文献２には、上下段のトレー間に連結バーをわたしてピンで相互に回転移動可能に連結した陳列棚が開示されている。
これはトレー同士が連結バーにより連結されているため、回動させることができ、カウンター状態の陳列と、ハンガー状態の陳列とに切り替え可能となっている。
【０００７】
しかしこの陳列棚の場合、陳列棚本体、連結バー、ピンと構成部品が多数に及び、材料コストが嵩み、また、構造が複雑であるため、組立に手間を要し、製造コストが嵩む。
また、上記した場合と同様に、廃棄時には、紙製の陳列棚本体とプラスチック等の連結バー、ピンとが材質が異なるため分別する必要があり手間がかかる。
【０００８】
さらに、特許文献３には、上下段のトレーを屈伸可能な背板で連結した陳列棚が開示されている。
これは、背板を屈曲および伸長させることにより、カウンター状態と、ハンガー状態とに切り替え可能となっている。
また、この陳列棚は、下段トレーの背壁上縁に突片が設けられ、上段トレーの底壁から前壁にかけて差込孔が設けられている。
そのため、カウンター状態において、上段トレーの差込孔に下段トレーの突片が差し込まれて、カウンター形状をしっかりと固定できるようになっており、設置した際に、背板の復元弾性により形状が崩れて倒れたりするのが防止されている。
【０００９】
この陳列棚の場合、背板で上下トレーを連結しているため、特許文献１および２の陳列棚のようなピン、連結バー等が不要であり、このように構造が簡単であるゆえ製造コストが低廉で済む。
また、トレーと背板の材質が同じ紙製であるため、廃棄の際にも分別の必要がなく簡単である。
【特許文献１】特開平９−９４１４１号公報
【特許文献２】実公平２−２７８１９号公報
【特許文献３】実開平３−９４１５６号公報
【発明の開示】
【発明が解決しようとする課題】
【００１０】
しかし、特許文献３の陳列棚は、上述したような構成であるから、ハンガー状態において形状を安定させる手段が特には講じられていない。
そのため、ハンガー状態で店頭に吊り下げた際には、屈伸を繰り返した背板の折り癖などにより背板がまっすぐにならず、ハンガー形状が崩れてしまう問題がある。
このように形状が崩れると体裁が悪く、また、各トレーが水平状態から傾いてその収納した陳列商品がこぼれ落ちてしまい、破損するおそれがある。
陳列棚が風にあおられた場合などにも、ばたついて同様の問題を生じる。
【００１１】
ここで、部材をさらに追加して、ハンガー状態における形状を安定させることも可能ではあるが、構成部材がふえるため、材料コストおよび製造コストが嵩み、部材がプラスチック等の場合には、上述したのと同様に廃棄の際に手間がかかる。
また、構造が複雑になると、ハンガー状態とカウンター状態との切り替えに手間がかかる。
【００１２】
以上述べてきたハンガー状態における形状が不安定となる問題は、カウンター状態に切り替えることのできる陳列棚のみならず、ハンガー状態においてのみ用いる陳列棚についても該当する。
【００１３】
そこでこの発明は、ハンガー状態において、簡単にかつ低コストで形状を安定させることが可能なロック手段を設けたロック機能付き陳列棚を提供することをその課題とする。
【課題を解決するための手段】
【００１４】
上記した課題を解決するため、この発明のロック機能付き陳列棚においては、上下方向に隣接する少なくとも一対のトレーの、上段トレーの両側壁および背壁を底壁より下方に延長して、上段トレーの両側壁および背壁と下段トレーの両側壁および背壁とが重なり合うように形成した。
そして、上下段トレーの外側に重なり合うトレーの重なり合う部分には、側壁から背壁にかけて延びる並列する切れ込みと、この切れ込み両端をつなぐ仮想線により区画される外側ロック片を形成し、このロック片をトレー内側に向けて押し込み可能とした。
また、内側に重なり合うトレーの外側ロック片に対応する位置には、側壁から背壁にかけて延びる並列する切れ込みと、この切れ込み両端をつなぐ仮想線により区画される内側ロック片を形成し、このロック片をトレー内側に向けて押し込み可能とした。
あるいは、この内側に重なり合うトレーの外側ロック片に対応する位置には、上述した内側ロック片に代えて外側ロック片がはまり込む大きさの開口を設けた。
【００１５】
このように上下段双方のトレーにロック片を設け、ハンガー状態において、この両ロック片を押し込んで反転させ、トレー内側に没入させると、内側ロック片が没入することにより形成される内側に重なり合うトレーの凹み空間に、外側ロック片がはまり込むことでトレー相互がロック固定される。
また、内側に重なり合うトレーに開口を設けた場合には、ハンガー状態において、外側ロック片を押し込んで内側に突出させ、この開口にはめ込むことにより、トレー相互がロック固定される。
そのため、トレーが一体化してハンガー形状が安定し、店頭に吊り下げた際に見た目がよく、また、トレーが傾いて収納商品が落下破損するおそれもない。
そして、このように切り込みを形成したり、開口を設けたりするだけであるから、非常に簡単に低コストでロック手段が実現できる。
また、陳列棚本体と異なる材質のロック用の部材を別途設けていないため、廃棄の際に分別の必要がなく手間がかからない。
なお、ロック片をこのように構成すると、一度押し込むと反転させて元に戻さない限りはロックが外れることがないため、とくにロック状態を強固に維持できる。
【００１６】
また、以下の構成を採用してもよい。
すなわち、上下方向に隣接する少なくとも一対のトレーの、上段トレーの両側壁および背壁の少なくとも一方を底壁より下方に延長して、上段トレーの両側壁および背壁と下段トレーの両側壁および背壁の少なくとも一方とが重なり合うように形成する。
そして、外側に重なるトレーのこの重なり合う部分の、側壁および背壁の少なくとも一方に、一方向に向けて屈曲または湾曲する切れ込みと、この切れ込み両端をつなぐ仮想線により区画される外側ロック片を形成する。
さらに、内側に重なるトレーの前記外側ロック片に対応する位置に、一方向に向けて屈曲または湾曲する切れ込みと、この切れ込み両端をつなぐ仮想線により区画される内側ロック片を形成する。
このロック片を仮想線部分で折り曲げて内側に押し込むと、上述したのと同様の原理からトレー相互がロック固定される。
もちろん、内側トレーに外側ロック片がはまり込む大きさの開口を形成した場合も同様である。
このように構成した場合、ロック片を押し込む際に力が要らない。
なお、複数方向に屈曲または湾曲する切れ込みの場合には、一方孔に向けて屈曲または湾曲する切れ込みが複数つながっているものと考える。
たとえば、Ｓ字型の切れ込みの場合には、半円弧状の切れ込みが２個つながっているものとし、この切れ込みと、それぞれの半円弧の両端をつなぐ仮想線により２個のロック片が形成されているものとする。
【００１７】
また、上下方向に隣接するトレーを、それらの相対位置が変化可能に連結し、トレーが上下方向にほぼ垂直に並んだハンガー状態と、階段状に斜めに並んだカウンター状態とに切り替え可能に形成し、カウンター状態にして台上や卓上に設置できるようにしてもよい。
【００１８】
カウンター状態に切り替えるには、ロックを解除して上下段トレーを動かせる状態にする必要があるが、この場合、ロック片を反転させて、元の状態に戻すだけであるから手間がかからない。
そのため、ハンガー状態とカウンター状態との切り替えが手早く簡単に行うことができる。
【００１９】
上下方向に隣接するトレー相互の連結は、一方トレーの背壁と一体に形成された板状連結片の先端を、他方トレー背壁に貼り付けることにより行うと、簡単でコストを抑えることができる。
【００２０】
なお。陳列棚は板紙等の紙製とすると、簡単に焼却処分可能であるため、廃棄の際の環境負荷が少なくなり好ましい。
【発明の効果】
【００２１】
ハンガー状態において重なり合う上下トレーの側壁および背壁に、並列する切り込みによりロック片を設け、このロック片をトレー内側に向けて押し込むことにより相互にロック可能とし、ハンガー状態の形状を簡単にかつ低コストで安定させることができる。
【発明を実施するための最良の形態】
【００２２】
以下、図面を参照しつつこの発明の実施の形態について説明する。
図１に、第一の実施形態にかかるロック機能つき陳列棚１の展開状態を示す。
陳列棚１は図示のように２枚の板紙からなり、一方は上段トレー１０を、他方は下段トレー２０をそれぞれ形成する。
【００２３】
図１（ａ）のように、展開状態の上段トレー１０は、前壁１１の両側に側壁１２が連設され、一方の側壁１２の外側（前壁１１が連設されていないほうの側）には背壁１３が連設され、背壁１３の外側（側壁１２が連設されていないほうの側）には継ぎ代１４がそれぞれ連設されている。
また、前壁１１の上端には内前板１１ａおよび底壁１５が順次連設され、底壁１５の両側には側部当て片１５ａが、先端には後部当て片１５ｂがそれぞれ連設されている。
【００２４】
背壁１３の下端には連結片１６が連設され、その先端は継ぎ代１６ａとなっている。
また、背壁１３の上端には重ね後板１３ａが連設され、背壁１３および重ね後板１３ａには、その境界を中心に両側に紐孔１３ｂが対称位置に設けられている。
さらに、背壁１３下部の、前壁１１の下端にほぼ対応する位置には、門型（倒立コの字型）の切れ込みにより、舌片１３ｃが形成されている。
【００２５】
また、図示のように、側壁１２、背壁１３、継ぎ代１４下方の対応する位置にそれぞれ外側縁から内部に向かい上り勾配をもって延びる一対の切れ込みが平行に設けられており、この切れ込みと、切れ込みの端部をつなぐ仮想線によりＶ字型のロック片１７が形成されている。
【００２６】
図１（ｂ）のように、展開状態の下段トレー２０は、前壁２１の両側に側壁２２が連設され、一方の側壁２２の外側（前壁２１が連設されていないほうの側）には背壁２３が連設され、背壁２３の外側（側壁２２が連設されていないほうの側）には継ぎ代２４がそれぞれ連設されている。
また、前壁２１の上端には内前板２１ａおよび底壁２５が順次連設されている。
【００２７】
背壁２３の上端には連結片２６が連設され、その先端は継ぎ代２６ａとなっている。
また、前壁２１、側壁２２、背壁２３の下端には、外底板２７ａ、２７ｂ、２７ｃがそれぞれ連設されている。
【００２８】
また、図示のように、側壁２２、背壁２３、継ぎ代２４上方の対応する位置にそれぞれ外側縁から内部に向かい上り勾配をもって延びる一対の切れ込みが平行に設けられており、この切れ込みと、切れ込みの端部をつなぐ仮想線によりロック片２８が形成されている。
このロック片２８は、上段トレー１０のロック片１７と相似形である。
【００２９】
このような展開状態から、第一の実施形態にかかる陳列棚１を図２〜図６に示す状態に組み立てる。
【００３０】
まず、上段トレー１０を、前壁１１と背壁１３が対向し、側壁１２同士が対向するように角筒状に折り曲げて、継ぎ代１４を反対側の側壁１２内面に貼り付ける。
【００３１】
つぎに、内前板１１ａを前壁１１の内面に折り重ね、底壁１５を内前板に対して直角となるように折り曲げる。
さらに、側部当て片１５ａを側壁１２の内面に沿うように、後部当て片１５ｂを背壁１３の内面に沿うようにそれぞれ下方に折り曲げる。
この際に、後部当て片１５ｂを舌片１３ｃの切れ込みに差し込んで、舌片１３ｃの外面と背壁１３とで挟み込んで、底壁１５が抜けないように固定する。
【００３２】
同様に、下段トレー２０を、前壁２１と背壁２３が対向し、側壁２２同士が対向するように角筒状に折り曲げて、継ぎ代２４を反対側の側壁２２内面に貼り付け、外底板２７ａ、２７ｂ、２７ｃを組み合わせる。
【００３３】
また、図示のように、上下段トレー１０、２０にはそれぞれ庇１１ｂ、２１ｂを取り付けてもよい。庇１１ｂ、２１ｂは、板紙を半分に折り曲げて形成され、板紙中央に設けられた切れ込みに前壁１１、２１上縁の円弧状に突出した部分を差し込み、折り曲げ片方を前壁１１、２１の内前板１１ａ、２１ａに貼り付けることで形成されている。
【００３４】
図示のように、上下段トレー１０、２０の収納部には、板紙からなる縦横の仕切り板を組み合わせてなる仕切り１８、２９を設けて収納空間を小分けしてもよい。
【００３５】
つぎに、内前板２１ａを前壁２１の内面に折り重ね、底壁２５を内前板２１ａに対して直角となるように折り曲げて組み合わせた外底板２７ａ〜２７ｃの内面に重ね合わせる。
【００３６】
さらに、上段トレー１０の連結片１６の継ぎ代１６ａを下段トレー２０の背壁２３の外面下端部に貼り付け、下段トレー２０の連結片２６の継ぎ代２６ａを折り返したうえで上段トレー１０の背壁１３の舌片１３ｃ内面に貼り付ける。
このようにして陳列棚１は組み立てられる。
【００３７】
ハンガー状態で商品を陳列する際には、図２および図３に示すように、上段トレー１０の連結片１６が背壁１３と同一平面を形成するように、下段トレー２０の連結片２６が背壁２３と同一平面を形成するように、これらを垂直に伸ばして上下トレー１０、２０を上下方向にほぼ垂直に並列させる。
【００３８】
この状態において、上下トレー１０、２０は、上段トレー１０を外側に、下段トレー２０を内側にしてその一部が重なり合う。
図示のように、重なり合う部分は、上段トレー１０の側壁１２下部と、下段トレー２０の側壁２２上部、および上段トレーの背壁１３下部と、下段トレー２０の背壁２３上部である。
そして、これらのロック片１７、２８はほぼ完全に重なりあうように継ぎ代１６ａ、２６ａの貼り付け位置等が調整されている。
このロック片１７、２８を、図２および図３のように、トレー１０、２０の内側に向けて押し込んで反転させる。
そして、紐孔１３ｂに図中鎖線で示す紐を通してフック等に吊り下げて陳列する。
【００３９】
すると、図４のように、ロック片１７、２８がトレー１０、２０内側に向けて突出し、下段トレー２０のロック片２８が没入することにより形成される凹み空間に、上段トレー１０のロック片１７がはまり込むことでトレー１０、２０相互がロック固定される。
そのため、上下トレー１０、２０が一体化してハンガー形状が安定し、見た目がよく、また、上下トレー１０、２０のいずれかが傾いて収納商品が落下破損するおそれもない。
この場合、ロック片１７、２８を再度反転させて元に戻さない限りは、ロックが勝手に外れる心配はない。
【００４０】
また、カウンター状態で商品を陳列する際には、図５および図６に示すように、ロック片１７、２８を再度反転させて元に戻し、上段トレー１０の連結片１６および下段トレー２０の連結片２６を、トレー１０、２０の底壁１５、２５に対しほぼ平行になるまで折り曲げる。
このとき、連結片２６が底壁１５の下面に重なり合うように、また、図６のように上段トレー１０の側壁１２、背壁１３の下端と底壁２５面とが同一ほぼ平面となるように寸法関係が調整されている。
そして、下段トレー２０底の外底板２７ａ〜２７ｃおよび上段トレー１０下端の側壁１２、背壁１３の下端を棚上面に接地して陳列棚１を棚上に陳列する。
ここで、上述したように寸法関係が調整されているため、棚に載置した状態において、陳列棚１は安定して支持され、倒れにくいようになっている。
【００４１】
図７に、第二の実施形態にかかる陳列棚１を示す。
この実施形態では、上下トレー１０、２０がハンガー状態において重なり合う背壁１３、２３の両側に、コの字型の切れ込みとその端部をつなぐ仮想線により区画される一対の相似形の方形ロック片１７、２８を設けている（ロック片２８については図中に現れていない）。
この場合も第一の実施形態と同様に、ロック片１７、２８をトレー１０、２０内側に屈曲させることでロックすることができる。
なお、第一の実施形態の場合と比べて、ロック片１７、２８の押し込みに力が要らないという利点を有する。
【００４２】
実施形態では、ハンガー状態とカウンター状態とに切り替え可能な陳列棚１を示したが、これに限られず、カウンター状態に切り替えることができないハンガー状態の陳列棚についても同様の構成を採用することができる。
たとえば、上下にカウンター状態に切り替え不能に連結されたトレー１０，２０において、上側トレー１０の側壁１２および背壁１３をその底壁１５よりも下方に延長し、下側トレー２０の側壁２２および背壁２３に重なり合うようにし、この部分にロック片１７、２８を設ける。
このロック片１７、２８をトレー１０、２０内側に押し込むことにより、互いにロックされ、上下トレー１０、２０がほぼ垂直に並んだ状態を維持できる。
【００４３】
また、実施形態では、２段のトレー１０、２０を備えた陳列棚１を示しているが、３段以上のトレーを備えた陳列棚にも勿論同様の構成を採用することができる。
また、上段トレー１０を外側に、下段トレー２０を内側に重ね合わせる構成を採用しているが、逆の上段トレー１０を内側に、下段トレー２０を外側に重ね合わせる構成を採用してもよい。
【００４４】
下段トレー２０には、ロック片２８を設けたが、これに代えて開口を設けても、上段トレー１０のロック片１７を内側に屈曲させてこの開口にはめ込むことで同様のロック機能を発揮することができる。
なお、上記したように、上段トレー１０を内側に、下段トレー２０を外側に重ね合わせる構成を採用した場合には、逆に、上段トレー１０に開口を設け、下段トレー２０にロック片を設けるとよい。
【００４５】
上下トレー１０、２０の連結の形態も特に限られない。
例えば、上記したカウンター状態に切り替え不能なハンガー状態の陳列棚において、上下トレーを屈伸不能な連結板で上下にスライド可能に連結し、その高さやトレー間の間隔を適宜変更可能に形成してもよい。
【００４６】
また、上下トレー１０、２０の形状も、ハンガー状態において側壁１２、２２と背壁１３、２３の一部が重なり合う限りにおいて限定されない。
たとえば、実施形態では、前壁１１、側壁１２、背壁１３をフラットにしたが、これらを内側や外側に向けて湾曲させてもよい。
また、両側壁１２を平面視（真上から見た場合を示す）Ｖ字状に屈曲させて、トレー１０、２０を平面視六角形状としてもよい。
無論、前壁１１や背壁１３も中途で屈曲させてもよく、自由に平面視多角形状を変更可能である。
【００４７】
さらに、第一の実施形態では、ロック片１７、２８を並列するＶ字状の切れ込みによりＶ字型に形成し、第二の実施形態では、ロック片１７、２８をコの字型の切れ込みにより形成したが、トレー１０、２０の内側に押し込み可能であるならば、形状はとくに限られない。
例えば、水平な切れ込みを平行に並列して設けることにより、この切れ込みと、その両端をつなぐ仮想線により区画される方形のロック片を形成してもよい。
また、半円弧状の切れ込みを側壁１２、２２や背壁１３、２３に設けることにより、この切れ込みと、その両端をつなぐ仮想線により区画される半円形のロック片を形成してもよい。
なお、切れ込みを並列して設ける際には、切れ込み間の距離は一定でなくともよい。
また、ロック片１７、２８の大きさは同じでなくともよく、内側ロック片１７を押し込むことにより形成される凹み空間に、外側ロック片２８がはまり込むように寸法調整されていればよい。
【００４８】
また、ロック片１７、２８の数や位置も特に限られず、適宜変更可能である。
例えば、上記したハンガー状態で上下トレーが上下にスライド可能な陳列棚においては、上下トレーの一方に、上下方向に所定の距離をおいてロック片を複数設けておき、トレーをスライドさせてロック片が重なる位置において、ロック片を押し込んで固定することにより、高さを段階的に変化させ、その状態で形状を安定させることができる。
【００４９】
なお、第一の実施形態においては、トレー１０、２０の両側にロック片１７、２８を設けなくともよく、一側のみに設けてもロック機能は果たせられる。
第二の実施形態においては、トレー１０、２０の両側壁１２、２２および背壁１３、２３のいずれかにロック片を設ければロック機能は果たせられる。
そのため、第二の実施形態では、両側壁１２、２２および背壁１３、２３の両方が重なり合うように構成されているが、上段トレー１０の側壁１２または背壁１３のいずれか一方を底壁１５より下方に延長して、下段トレー２０の側壁２２または背壁２３のいずれか一方のみに重なり合うようにし、この部分にロック片１７、２８を設ける構成を採用してもよい。
また、第一の実施形態および第二の実施形態のロック片１７、２８を併用してもよいことは無論である。
【００５０】
トレー１０、２０の材質は、廃棄時の環境に対する負荷の少なさ等の理由から板紙が好適ではあるが、特にこれに限定されることはなく肉厚の薄いプラスチックなどでもよい。
【００５１】
また、上段トレー１０の両側壁１２および背壁１３の底壁１５より下方の部分が、ハンガー状態において、下段トレー２０の両側壁２２および背壁２３に重なり合うような既存の陳列棚に、重なり合う部分の側壁１２、２２から背壁１３、２３にかけて並列する切れ込みを設けるなどすることで、簡単にロック機能つき陳列棚１へと改造可能である。
このように、一から作り直すことなく、既存の陳列棚を改造して再利用することも可能であるため、資源の無駄遣いの節減、製造コストの削減に資することができる。
【図面の簡単な説明】
【００５２】
【図１】第一の実施形態の陳列棚の展開状態を示す図
【図２】陳列棚のハンガー状態を前方から見た斜視図
【図３】陳列棚のハンガー状態を後方から見た斜視図
【図４】ハンガー状態におけるロック片周辺の部分拡大図
【図５】陳列棚のカウンター状態を前方から見た斜視図
【図６】陳列棚のカウンター状態における部分断面側面図
【図７】第二の実施形態の陳列棚のハンガー状態を後方から見た斜視図
【符号の説明】
【００５３】
１  ロック機能つき陳列棚
１０  上段トレー
１１  前壁
１１ａ  内前板
１１ｂ  庇
１２  側壁
１３  背壁
１３ａ  重ね後板
１３ｂ  紐孔
１３ｃ  舌片
１４  継ぎ代
１５  底壁
１５ａ  側部当て片
１５ｂ  後部当て片
１６  連結片
１６ａ  継ぎ代
１７  ロック片
１８  仕切り
２０  下段トレー
２１  前壁
２１ａ  内前板
２１ｂ  庇
２２  側壁
２３  背壁
２４  継ぎ代
２５  底壁
２６  連結片
２６ａ  継ぎ代
２７ａ、２７ｂ、２７ｃ  外底板
２８  ロック片
２９  仕切り
【図１】
2008012106.tif 000003
【図２】
2008012106.tif 000004
【図３】
2008012106.tif 000005
【図４】
2008012106.tif 000006
【図５】
2008012106.tif 000007
【図６】
2008012106.tif 000008
【図７】
2008012106.tif 000009